(57)【要約】【課題】      セグメントに特別な加工を施すことなく、組立ボルトの抜け落ちを長期に亘って防止すること。【解決手段】  脱落防止金具１０は、セグメント間の接合面に設けられるホゾとホゾ溝とを嵌合させた状態で、一方のセグメントの内面側に設けられたボルトボックス２０から、嵌合部を貫通して、他方のセグメントに設けられたナットに螺着する組立ボルト１４の脱落を防止する。金具１０は、薄い板状部材から構成され、中心に穿設された組立ボルト１４の挿通孔１０ｂと、挿通孔１０ｂの外周に延設され、外端がボルトボックス２０の内面に当接して、金具１０の回動を規制する回動規制部１０ｃ，１０ｄと、挿通孔１０ｂの外周に突設され、締付け完了後の組立ボルト１４の頭部に折曲されて、組立ボルト１４の緩みを規制する回り止め片１０ｅ，１０ｆ，１０ｇとを備えている。【選択図】    図４
2005126898.tif 000002
【特許請求の範囲】
【請求項１】
セグメント間の接合面に設けられるホゾとホゾ溝とを嵌合させた状態で、一方のセグメントの内面側に設けられたボルトボックスから、前記嵌合部を貫通して、他方のセグメントに設けられたナットに螺着する組立ボルトの脱落防止金具において、
前記脱落防止金具は、薄い板状部材から構成され、
中心に穿設された前記組立ボルトの挿通孔と、
前記挿通孔の外周に延設され、外端が前記ボルトボックスの内面に当接して、当該脱落防止金具の回動を規制する回動規制部と、
前記挿通孔の外周に突設され、締付け完了後の前記組立ボルトの頭部に折曲されて、当該組立ボルトの緩みを規制する回り止め片とを備えたことを特徴とするホゾ付きセグメントの組立ボルト脱落防止金具。
【請求項２】
前記回動規制部は、前記挿通孔の両側に一対設けられ、一対の前記回動規制部が前記ボルトボックスの側面にそれぞれ当接することを特徴とする請求項１記載のホゾ付きセグメントの組立ボルト脱落防止金具。
【請求項３】
前記回動規制部は、前記ボルトボックスの側面に対する当接長が異なっていて、前記組立ボルトの左側の方を右側よりも大きくすることを特徴とする請求項２記載のホゾ付きセグメントの組立ボルト脱落防止金具。
【請求項４】
前記回り止め片は、突出方向を異ならせて複数設けることを特徴とする請求項１から３のいずれか１項記載のホゾ付きセグメントの組立ボルト脱落防止金具。
【請求項５】
前記回り止め片は、前記挿通孔の中心から外方に向けて放射状に延設された少なくとも３本から構成され、前記挿通孔の中心を通る水平線に対する各回り止め片の中心線の角度を、４５°，６７．５°，１２０°に設定することを特徴とする請求項１から４のいずれか１項記載のホゾ付きセグメントの組立ボルト脱落防止金具。
【発明の詳細な説明】
【技術分野】
【０００１】
この発明は、ホゾ付きセグメントの組立ボルト脱落防止金具に関し、特に、比較的簡単な構造により、組立ボルトの緩みを防止することができる脱落防止金具に関するものである。
【背景技術】
【０００２】
ホゾ付きセグメントは、隣接設置されるセグメント間の接合面に設けられるホゾとホゾ溝とを嵌合させた状態で、一方のセグメントの内面側に設けられたボルトボックスから、嵌合部を貫通して、他方のセグメントに設けられたナットに螺着する組立ボルトが用いられる。
【０００３】
この組立ボルトは、セグメントの仮止めに用いられるものであって、構造上必要な結合ボルトではないので、所定期間経過後に、これを撤去して、再利用することが前提に考えられている。
【０００４】
そのため、組立ボルトは、簡単に締付けられて、抜き易くなるように、例えば、通常のメートルねじのボルトでなく、メス側をインサートした台形ねじの斜めボルトなどが使用されている。
【０００５】
ところが、実施工においては、組立ボルトの撤去に、手間や時間が掛かることや、組立ボルトを撤去した後に、ボルト孔から漏水が発生することがあるので、組立ボルトを撤去した事例は殆どなく、そのまま残置されているのが実情であるが、残置された組立ボルトは、時間の経過と共に、緩んで抜け落ちたりするために、例えば、接着剤を塗布したり、あるいは、特許文献１に開示されているように、組立ボルトの抜け出し防止金具を装着することなどの対策が講じられている。
【０００６】
しかしながら、このような従来の対策には、以下に説明する技術的な課題があった。
【特許文献１】特開２００２−１４７１８２号公報
【発明の開示】
【発明が解決しようとする課題】
【０００７】
すなわち、接着剤の塗布による抜け落ち防止対策は、耐久性に問題がある。一方、特許文献１に開示されている抜け落ち防止対策では、セグメント側に、金具の受け孔を設けなければならないという問題があった。
【０００８】
本発明は、このような従来の問題点に鑑みてなされたものであって、その目的とするところは、セグメント側に特別な加工を必要とせず、しかも、所定の耐久性を備えたホゾ付きセグメントの組立ボルト脱落防止金具を提供することにある。
【課題を解決するための手段】
【０００９】
上記目的を達成するために、本発明は、セグメント間の接合面に設けられるホゾとホゾ溝とを嵌合させた状態で、一方のセグメントの内面側に設けられたボルトボックスから、前記嵌合部を貫通して、他方のセグメントに設けられたナットに螺着する組立ボルトの脱落防止金具において、前記脱落防止金具は、薄い板状部材から構成され、中心に穿設された前記組立ボルトの挿通孔と、前記挿通孔の外周に延設され、外端が前記ボルトボックスの内面に当接して、当該脱落防止金具の回動を規制する回動規制部と、前記挿通孔の外周に突設され、締付け完了後の前記組立ボルトの頭部に折曲されて、当該組立ボルトの緩みを規制する回り止め片とを備えている。
【００１０】
このように構成したホゾ付きセグメントの組立ボルト脱落防止金具によれば、外端がボルトボックスの内面に当接して、当該脱落防止金具の回動を規制する回動規制部を備えているので、組立ボルトが緩もうとして回動する際には、回動規制部がボルトボックスの内面に当接して、脱落防止金具の伴回りを防ぎ、その結果、組立ボルトの緩みを防止する。
【００１１】
また、脱落防止金具は、挿通孔の外周に突設され、締付け完了後の組立ボルトの頭部に折曲されて、当該組立ボルトの緩みを規制する回り止め片を備えているので、組立ボルトが緩もうとして回動する際には、ボルトの頭部に回り止め片が当接して、軸方向の移動を規制して、組立ボルトの緩みを防止する。
【００１２】
このような組立ボルトの緩みの防止は、セグメントに特別な加工を施すことなく得られ、組立ボルトの緩みが防止されると、その脱落を確実に防止することができる。
【００１３】
前記回動規制部は、前記挿通孔の両側に一対設けられ、一対の前記回動規制部が前記ボルトボックスの側面にそれぞれ当接するように構成することができる。
【００１４】
前記回動規制部は、前記ボルトボックスの側面に対する当接長が異なっていて、前記組立ボルトの左側の方を右側よりも大きくすることができる。
【００１５】
前記回り止め片は、突出方向を異ならせて複数設けることができる。
前記回り止め片は、前記挿通孔の中心から外方に向けて放射状に延設された少なくとも３本から構成され、前記挿通孔の中心を通る水平線に対する各回り止め片の中心線の角度を、４５°，６７．５°，１２０°に設定することができる。
【発明の効果】
【００１６】
本発明にかかるホゾ付きセグメントの組立ボルト脱落防止金具によれば、セグメントに特別な加工を施すことなく、組立ボルトの抜け落ちを長期に亘って防止することができる。
【発明を実施するための最良の形態】
【００１７】
以下、本発明の好適な実施の形態について、添付図面に基づいて詳細に説明する。
【実施例１】
【００１８】
図１から図６は、本発明にかかるホゾ付きセグメントの組立ボルト脱落防止金具の一実施例を示している。これらの図に示した脱落防止金具１０は、図１に示すように、一対のＲＣ構造のセグメント１２，１２ａを隣接配置して、セグメント１２，１２ａを組立ボルト１４により仮留めする際に用いられる。
【００１９】
連結されるセグメント１２の一方には、接合面に凸状のホゾ１６が突設され、他方のセグメント１２ａには、ホゾ１６と嵌合する凹状のホゾ溝１８が設けられている。
【００２０】
組立ボルト１４は、ホゾ１６とホゾ溝１８とを嵌合させた状態で、一方のセグメント１２の内面に設けられたボルトボックス２０から、ホゾ１６とホゾ溝１８の嵌合部を貫通するようにして、他方のセグメント１２ａに設けられたナット２２に螺着される。
【００２１】
脱落防止金具１０は、図２および図３にその詳細を示すように、薄い板状部材から構成され、本体部１０ａと、挿通孔１０ｂと、右および左回動規制部１０ｃ，１０ｄと、３本の回り止め片１０ｅ，１０ｆ，１０ｇとを備えている。
【００２２】
本体部１０ａは、概略正方形状に形成され、そのほぼ中央に挿通孔１０ｂが穿設形成されていて、この挿通孔１０ｂには、組立ボルト１４が挿通される。右および左回動規制部１０ｃ，１０ｄは、挿通孔１０ｂの両側面の外方にあって、挿通孔１０ｂが設けられた本体部１０ａの両側面に張り出すように形成されていている。
【００２３】
本実施例の場合、左回動規制部１０ｄの方が、右回動規制部１０ｃよりも張り出し量が大きく、かつ、全長も右回動規制部１０ｃよりも長くなっているが、これらは同じ張り出し量であっても良い。
【００２４】
本体部１０ａの両側に対向配置された右，左回動規制部１０ｃ，１０ｄは、対向して対をなす外側端が下方側に向けて拡開するように傾斜している。また、各右，左回動規制部１０ｃ，１０ｄの外端縁には、上方折曲部１０ｈがそれぞれ設けられている。
【００２５】
３本の回り止め片１０ｅ，１０ｆ，１０ｇは、挿通孔１０ｂの外周にあって、本体部１０ａの下方に突出するように配置されている。本実施例の場合、３本の回り止め片１０ｅ，１０ｆ，１０ｇは、それぞれ突出方向が異なるように設定されている。
【００２６】
３本の右，左，中央回り止め片１０ｅ，１０ｆ，１０ｇは、挿通孔１０ｂの中心から外方に向けて、ほぼ同じ長さになるように放射状に延設され、挿通孔１０ｂの中心を通る水平線Ｈに対する各回り止め片１０ｅ，１０ｆ，１０ｇの中心線の角度が、４５°，１２０°，６７．５°に設定されている。
【００２７】
一方、実施例の場合、ボルトボックス２０は、側面から見ると図１に示すように、ほぼ三角形状になるように、セグメント１２の内面に凹設されていて、組立ボルト１４が定着される平坦面２０ａを備えている。
【００２８】
ボルトボックス２０は、図４にその平面形状を示すように、平坦部２０ａの外周が概略馬蹄型に形成され、円弧状部２０ｂの両端に、ハ字状に拡開する一対の側面部２０ｃが設けられている。
【００２９】
また、平坦部２０ａの概略中央部には、組立ボルト１４の挿入孔２０ｄが穿設されている。このように形成されたボルトボックス２０内に脱落防止金具１０をセットした状態を図４に示している。
【００３０】
この際には、脱落防止金具１０の挿通孔１０ｂが挿入孔２０ｄと一致するようにセットされ、このようなセット状態においては、右および左回動規制部１０ｃ，１０ｄの折曲部１０ｈが設けられた外端は、ほぼボルトボックス２０の側面２０ｃに沿うようにして、かつ、側面２０ｃに隣接するように配置される。
【００３１】
以上のように構成された脱落防止金具１０は、組立ボルト１４をセグメント１２に装着する前に、組立ボルト１４に装着される。この際には、挿通孔１０ｂ内に組立ボルト１４を挿通し、この状態で組立ボルト１４には、座金２４が装着され、脱落防止金具１０は、図５，６に示すように、組立ボルト１４の頭部１４ａと座金２４とで挟まれた形態で取り付けられる。
【００３２】
このような状態で組立ボルト１４をボルトボックス２０内にセットすると、脱落防止金具１０の右および左回動規制部１０ｃ，１０ｄは、ボルトボックス２０の内面に外端が隣接し、組立ボルト１４を締付ける際には、右および左回動規制部１０ｃ，１０ｄがボルトボックス２０の内面に当接して、ボルトボックス２０の壁面から反力を取ることになる。
【００３３】
このような状態で組立ボルト１４を締付けると、座金２４の伴回りが防止され、また、組立ボルト１４が抜け出す時の座金２４の回り止め機能を発揮する。この場合、右および左回動規制部１０ｃ，１０ｄの張り出し量、および、ボルトボックス２０との当接長さは、左右対称に形成して、これらを同量とすることもできるが、本実施例のように、左回動規制部１０ｄの張り出し量，当接長さを右回動規制部１０ｃよりも大きくしておくと、一般には、組立ボルト１４は、右ねじを採用するので、組立ボルト１４を締付ける時の伴回りを防止する方、すなわち、左側を右側よりも多く張り出したり、あるいは、当接長を長くしておくと、より効率的になる。
【００３４】
そして、組立ボルト１４の螺着が終了して、締付けが完了すると、組立ボルト１４の頭部１４ａに、回り止め片１０ｅ，１０ｆ，１０ｇのいずれかを折り曲げて、頭部１４ａに当接させて、組立ボルト１４の緩みを防止する。
【００３５】
この場合、組立ボルト１４の頭部１４ａは、通常正６角形に形成されており、その締付け状態によって、頭部１４ａの６角形は、任意の位置になる。ところが、本実施例の場合には、３本の右，左，中央回り止め片１０ｅ，１０ｆ，１０ｇは、挿通孔１０ｂの中心から外方に向けて放射状に延設され、挿通孔１０ｂの中心を通る水平線Ｈに対する各回り止め片１０ｅ，１０ｆ，１０ｇの中心線の角度が、４５°，１２０°，６７．５°に設定されているので、頭部１４ａの６角形がどのような位置になったとしても、いずれかの回り止め片１０ｅ，１０ｆ，１０ｇが、６角形の１辺に対して、直交するようになり（図４においては、左回り止め片１０ｆが直交している。）、頭部１４ａ側への折り曲げが簡単になり、かつ、折り曲げた状態で、確実に頭部１４ａに密着させることができる。
【００３６】
さて、以上のように構成したホゾ付きセグメントの組立ボルトの脱落防止金具によれば、外端がボルトボックス２０の内面に当接して、当該脱落防止金具１０の回動を規制する回動規制部１０ｃ，１０ｄを備えているので、組立ボルト１４が緩もうとして回動する際には、回動規制部１０ｃ，１０ｄがボルトボックス２０の内面に当接して、脱落防止金具１０の伴回りを防ぎ、その結果、組立ボルト１４の緩みを防止する。
【００３７】
また、脱落防止金具１０は、挿通孔１０ｂの外周に突設され、締付け完了後の組立ボルト１４の頭部１４ａに折曲されて、当該組立ボルト１４の緩みを規制する回り止め片１０ｅ，１０ｆ，１０ｇを備えているので、組立ボルト１４が緩もうとして回動する際には、ボルト１４の頭部１４ａに回り止め片１０ｅ，１０ｆ，１０ｇが当接して、軸方向の移動を規制して、組立ボルト１４の緩みを防止する。
【００３８】
このような組立ボルト１４の緩みの防止は、セグメント１２，１２ａに特別な加工を施すことなく得られ、組立ボルト１４の緩みが防止されると、その脱落を確実に防止することができる。
【産業上の利用可能性】
【００３９】
本発明にかかるホゾ付きセグメントの組立ボルトの脱落防止金具は、セグメントに特別な加工を施すことなく、組立ボルトの抜け落ちを長期に亘って防止することができるので、この種のセグメントを用いるトンネル工事に有効に活用することができる。
【図面の簡単な説明】
【００４０】
【図１】本発明にかかるホゾ付きセグメントの組立ボルトの脱落防止金具が用いられるセグメントの接合部の断面図である。
【図２】本発明にかかるホゾ付きセグメントの組立ボルトの脱落防止金具の一実施例を示す平面図である。
【図３】図１の側面図である。
【図４】図１に示したセグメントのボルトボックスの正面図である。
【図５】本発明にかかる脱落防止金具を組立ボルトに装着して、ボルトボックスにセットした状態の側面説明図である。
【図６】本発明にかかる脱落防止金具を組立ボルトに装着して、ボルトボックスにセットした状態の他の側面の説明図である。
【符号の説明】
【００４１】
１０        脱落防止金具
１０ａ      本体部
１０ｂ      挿通孔
１０ｃ      右回動規制部
１０ｄ      左回動規制部
１０ｅ      右回り止め片
１０ｆ      左回り止め片
１０ｇ      中央回り止め片
１２        セグメント
１４        組立ボルト
１４ａ      頭部
１６        ホゾ
１８        ホゾ溝
２０        ボルトボックス
２２        ナット
２４        座金
【図１】
2005126898.tif 000003
【図２】
2005126898.tif 000004
【図３】
2005126898.tif 000005
【図４】
2005126898.tif 000006
【図５】
2005126898.tif 000007
【図６】
2005126898.tif 000008